(57)【要約】【課題】袋内部の気密性に影響を与えるピンホールの発生を好適に抑制することができ、袋内部の気密性を長期に亘って持続することができる輸液バッグ保存用外装袋を提供する。【解決手段】本発明は、重ね合わせた２枚のガスバリアー性フィルムの三方をシールして製袋され、開口から輸液バッグを収納した後、該開口をシールして封止する輸液バッグ保存用外装袋において、前記三方シールの少なくとも角部におけるシール部を前記フィルムの外縁よりも内側に形成することにより、該シール部の外側に突片を形成してなることを特徴とする。【選択図】      図１
2005007053.tif 000002
【特許請求の範囲】
【請求項１】
重ね合わせた２枚のガスバリアー性フィルムの三方をシールして製袋され、開口から輸液バッグを収納した後、該開口をシールして封止する輸液バッグ保存用外装袋において、前記三方シールの少なくとも角部におけるシール部を前記フィルムの外縁よりも内側に形成することにより、該シール部の外側に突片を形成してなることを特徴とする輸液バッグ保存用外装袋。
【請求項２】
前記突片は、フィルムの外縁に沿ったシール部をさらに備えてなる請求項１記載の輸液バッグ保存用外装袋。
【発明の詳細な説明】
【０００１】
【発明の属する技術分野】
本発明は、医療用の薬液が封入された輸液バッグを収納保存するためのガスバリアー性を備えた輸液バッグ保存用外装袋に関する。
【０００２】
【従来の技術】
輸液に供される医療用の薬液の封入容器は、軽量で破損の危険性がなく、また、輸送、保管が便利であることから、プラスチックからなる軟質の袋（輸液バッグ）が用いられており、この材質としては、法規制等によって、ポリエチレン（ＰＥ）、ポリプロピレン（ＰＰ）、ポリ塩化ビニル（ＰＶＣ）等が用いられる。また、これらの輸液バッグは、薬液の変質防止に必要な高度のガスバリアー性（酸素バリアー性）を保証し難いため、特定の薬液（例えばアミノ酸）を封入する場合には、別途用意したガスバリアー性を備えた袋（外装袋）で外装して袋内部を気密状態に維持することにより、薬液の変質防止を図っている。
【０００３】
外装袋は、輸液バッグを収納する際の作業性に鑑み、輸液バッグに対する十分な開口幅に製袋したものが使用される。但し、開口幅を大きく取ると、例えばタテ型カートナー等によって縦向きに箱詰めして行う輸送時や取り扱い時に輸液バッグが動きやすくなり、輸液バッグとの摩擦やこすれによって外装袋の積層フィルムに疵が付いてピンホールを生じ、袋内部と外部とが通じて袋内部の気密性が損なわれるため、これを防止すべく、底部における内幅が輸液バッグを収納可能な範囲内で狭めて、収納した輸液バッグの動き（いわゆる「ガサツキ」）を抑制しようとするもの（特許文献１，２）が提供されている。
【０００４】
【特許文献１】
実用新案登録第２５０９９９３号公報
【特許文献２】
実公平８−６７７０号公報
【０００５】
【発明が解決しようとする課題】
このように、上記公報所載の外装袋は、摩擦やこすれに対して非常に効果的である。しかしながら、屈曲や衝撃に対しては必ずしも万全ではない。特に、外装袋の底部の角部には、輸送時に折れ曲がり変形が反復生起しやすく、屈曲疲労のため、ピンホールを生じ、袋内部の気密性が損なわれるおそれがある。
【０００６】
そこで、本発明は、上記問題に鑑みてなされたもので、例えば輸送時や取り扱い時に屈曲作用や衝撃が加わっても、袋内部の気密性に影響を与えるピンホールが生じ難い輸液バッグ保存用外装袋を提供することを課題とする。
【０００７】
【課題を解決するための手段】
上記課題を解決すべく、本発明に係る輸液バッグ保存用外装袋は、重ね合わせた２枚のガスバリアー性フィルムの三方をシールして製袋され、開口から輸液バッグを収納した後、該開口をシールして封止する輸液バッグ保存用外装袋において、前記三方シールの少なくとも角部におけるシール部を前記フィルムの外縁よりも内側に形成することにより、該シール部の外側に突片を形成してなることを特徴とする。
【０００８】
輸送時や取り扱い時に屈曲作用や衝撃が加わりやすい箇所は、底部の角部に集中する。上記構成からなる輸液バッグ保存用外装袋は、この箇所を突片とし、該突片が屈曲作用や衝撃を吸収するようになっている。この突片は、ガスバリアー性フィルムのうち、袋内部を構成しない部分に相当し、該突片の緩衝作用により、上記屈曲作用や衝撃は、袋内部を構成する部分（ピンホールが発生すると、袋内部と外部とがピンホールを介して通じるために袋内部の気密性が損なわれる部分）に伝わりにくくなっている。従って、実害のある（袋内部の気密性に影響を与える）ピンホールの発生を好適に抑制することができる。
【０００９】
また、本発明に係る輸液バッグ保存用外装袋は、前記突片は、フィルムの外縁に沿ったシール部をさらに備えてなる構成を採用することができる。かかる構成からなる輸液バッグ保存用外装袋によれば、突片の外縁に沿ったシール部（外側のシール部）により突片の外縁強度を維持しつつ、該外側のシール部と内側のシール部（三方シールの少なくとも角部におけるシール部であって、袋内部を画定するためのシール部）との間で緩衝作用を生じさせるようにしている。
【００１０】
【発明の実施の形態】
以下、本発明に係る輸液バッグ保存用外装袋（以下、「外装袋」という）の一実施形態について図１を基づき説明する。
【００１１】
外装袋１０は、ガスバリアー性樹脂層と、熱融着性樹脂層等が積層された積層フィルムからなるガスバリアー性フィルム（以下、外装袋１０の説明において、「フィルム」という）を素材とし、重ね合わせた２枚のフィルムの側方及び下方の三方をヒートシールして製袋される。
【００１２】
そして、外装袋１０の内部空間を画定するための上記三方シール１１は、その角部におけるシール部１１ａがフィルムの外縁よりも内側に形成される一方、その余のシール部１１ｂがフィルムの外縁に沿って形成されており、角部におけるシール部１１ａの外側にのみ、非シール部からなる突片１２が形成されている。より詳細に言えば、フィルムは、略方形状（本実施形態においては、縦長の略長方形状）であり、角部におけるシール部１１ａがフィルムの側方の外縁及び下方の外縁を結ぶように斜めに形成されるため、左右一対の突片１２，１２は、略直角三角形状を呈する。
【００１３】
しかも、三方シールの上記左右一対のシール部１１ａ，１１ａが下方側に向かって互いに接近するように形成されることで、底部における袋内部の内幅が輸液バッグ２０の収納可能な範囲内で狭められ、その結果、内部に収納される輸液バッグ２０は、その底部が外装袋１０の幅狭となっている領域に抱持拘束されて安定な収納姿勢が与えられる。
【００１４】
一方、輸液バッグ２０は、ポリエチレンフィルムを素材とし、インフレーション法によってチューブ状に成形されたフィルムからなるバッグ本体２１を主構成とし、且つフィルムの間に挟んで該フィルムをシールすることによりバッグ本体２１と一体化された薬液の注出具を接続する口栓２２を備えている。該口栓２２は、本実施形態においては、バッグ本体２１の頂部と底部の二箇所に一対設けられている。そして、一方（例えば底部側）には、輸液バッグ２０を反対姿勢でつり下げる際の吊り手部を設けられることもある。
【００１５】
また、輸液バッグ２０は、バッグ本体２１の内部空間を頂部と底部との中間位置で仕切るべく、バッグ本体２１の中間位置が剥離可能にシールされており（図示省略）、仕切られた一方の内部空間には、アミノ酸が封入され、他方の内部空間には、生理的食塩水が封入されるようになっている。
【００１６】
構成の説明は以上の如くであり、薬液を封入した輸液バッグ２０が外装袋１０に収納された後、外装袋１０の上方の開口をヒートシールにより封止して包装体１は完成する（図２参照）。尚、外装袋１０の内部空間雰囲気は、上方の開口の封止に際し、窒素ガス等による置換処理が施されると共に、脱酸素剤を封入して、外装袋１０内を略無酸素状態に維持される。
【００１７】
一方、輸液バッグ２０を取り出す際は、外装袋１０のシール部１１ｂに形成されたノッチ１３から横方向に引裂き開封する。そして、輸液バッグ２０に形成された仕切り用のシールは、周縁部のシールよりも熱融着度が低い弱シールとなっており、バッグ本体２１に外圧をかければ、バッグ本体２１の内圧が増加し、弱シール部における２枚のフィルムが剥離して二液が混合し、使用に供することが可能となる。
【００１８】
このように、本実施形態に係る外装袋は、三方シール１１の少なくとも角部におけるシール部１１ａをフィルムの外縁から離間させて内側に形成することにより、該シール部１１ａの外側に突片１２を形成するものである。該突片１２は、可撓性を有するため、該突片１２が輸送時や取り扱い時における屈曲作用や衝撃を吸収するクッション（緩衝部材）として機能し、袋内部の気密性に影響を与えるピンホールの発生を好適に抑制することができる。
【００１９】
また、仮に、屈曲作用により突片１２にピンホールが生じるようなことがあっても、該突片１２は、フィルムのうち、袋内部を構成しない部分に相当し、よって、発生したピンホールは、袋内部の気密性に影響を与えない無害のピンホールであって、問題は生じ得ない。
【００２０】
尚、本発明に係る外装袋は、上記実施形態に限定されるものではなく、本発明の要旨を逸脱しない範囲で種々の変更が可能である。
【００２１】
例えば、上記実施形態においては、突片１２（残余部分）は、完全に非シール部としているが、図３（イ）に示す如く、突片１２の外縁に沿ってヒートシールしてシール部１１ｃを形成してもよい。このように二重シールすることで、外側のシール部１１ｃで外装袋１０の外縁強度を維持しつつ、シール１１ａ，１１ｃ間の非シール部で屈曲作用が吸収されるため、内側のシール部１１ａは、屈曲作用の影響を受けることなく、袋内部の気密状態を好適に維持する。尚、外側のシール部１１ｃは、図３（ロ）に示す如く、一部（図では、側方の外縁にのみ沿ったシール部）であってもよい。
【００２２】
また、図３（ハ）に示す如く、突片１２に凹溝状の折り曲げ罫線（好ましくは、シール部１１ａに沿ったもの）１３を設けるようにしてもよい。この罫線１３により突片１２は、可撓性が増し、緩衝作用が増大する。尚、罫線は複数設けてもよい。
【００２３】
さらに、上記何れの実施形態も、突片１２の縦寸法が横寸法よりも長くなっているが、突片１２の形状は緩衝作用を有する範囲において特に限定されず、例えば、図４（イ）〜（ハ）（図４（イ）は図１に、図４（ロ）は図３（イ）に、図４（ハ）は図３（ハ）に、それぞれ対応）に示す如く、縦寸法と横寸法とが略同一の形状であってもよい。
【００２４】
また、外装袋１０の素材フィルムは、ガスバリアー性を備えた各種の単層フィルム、あるいは積層フィルムを適宜使用することができ、積層フィルムとしては、例えば、外側層を強度の強い二軸延伸ナイロンフィルム（例えば厚さ２５μｍ）、中間層をガスバリアー性を備えたエチレン・ビニルアルコール共重合樹脂層（例えば１５μｍ）、内側層を熱融着性を備えた直鎖状低密度ポリエチレンフィルム（例えば４０μｍ）とする積層フィルム等を使用してもよい。
【００２５】
また、図１に示す実施形態においては、二液が分離された状態で輸液バッグ２０に封入されるようになっているが、本発明は、単一の薬液が輸液バッグ２０に封入されたものでもよい。また、二液分離タイプであっても、図４に示すように、輸液バッグ２０の仕切り用シール２１で折り畳み、該仕切り用シール２１を底部側に向けて収納するようにしてもよい。
【００２６】
また、上記実施形態においては、インフレーション法によって形成されたチューブ状フィルムをバッグ本体２１に使用しているが、例えばポリエチレンフィルムを素材とし、重ね合わせた２枚のフィルムの周縁部のそれぞれを接着代としてシールして製袋したものや、ブロー成形によって形成されたものをバッグ本体としてもよい。
【００２７】
【発明の効果】
以上の如く、本発明に係る輸液バッグ保存用外装袋は、三方シールの少なくとも角部におけるシール部を素材フィルムの外縁よりも内側に形成することにより、該シール部の外側に突片を形成し、該突片が輸送時や取り扱い時における屈曲作用や衝撃を吸収するクッション（緩衝部材）として機能するため、袋内部の気密性に影響を与えるピンホールの発生を好適に抑制することができ、袋内部の気密性を長期に亘って持続することができる。
【図面の簡単な説明】
【図１】本発明の一実施形態に係る外装袋に輸液バッグを収納した正面図を示す。
【図２】同実施形態に係る外装袋に輸液バッグを収納し且つ開口を封止した正面図を示す。
【図３】同実施形態に係る外装袋の突片の変形例であって、（イ）は、突片の全外縁に沿ったシール部を備えたものの要部正面図、（ロ）は、突片の一部外縁に沿ったシール部を備えたものの要部正面図、（ハ）は、突片に罫線を備えたものの要部正面図、を示す。
【図４】他実施形態に係る外装袋の正面図であって、（イ）は、突片を備えたもの、（ロ）は、突片の外縁に沿ったシール部を備えたもの、（ハ）は、突片に罫線を備えたもの、を示す。
【符号の説明】
１  包装体
１０  外装袋
１１  三方シール
１１ａ  シール部
１１ｂ  シール部
１１ｃ  シール部
１２  突片
１３  罫線
２０  輸液バッグ
２１  バッグ本体
２２  口栓
２３  仕切り用シール
【図１】
2005007053.tif 000003
【図２】
2005007053.tif 000004
【図３】
2005007053.tif 000005
【図４】
2005007053.tif 000006